(57)【要約】      （修正有）【課題】複数の駐車場間において駐車場を代替利用することができる管理サーバを提供する。【解決手段】ユーザの駐車場利用に際して、他の駐車場への代替利用を必要とする駐車場の駐車場サーバ（以下、代替元駐車場サーバという）と、代替利用先として指定された駐車場（以下、代替先駐車場という）の駐車場サーバ（以下、代替先駐車場サーバという）と通信を行う駐車場代替利用システム１において、管理サーバは、代替先駐車場サーバから、ユーザが代替先駐車場を代替利用した際の駐車料金に関する決済情報を受信した場合に、決済情報の金額が管理サーバと、代替元駐車場サーバと、代替先駐車場サーバの三者に所定の配分で分配されるように分配金情報を生成し、分配金情報を、代替元駐車場サーバと代替先駐車場サーバに送信する分配金情報送信部を含む。【選択図】図９
2020080102.tif 000002
【特許請求の範囲】
【請求項１】
ユーザの駐車場利用に関し、他の駐車場への代替利用を必要とする駐車場の駐車場サーバ（以下、代替元駐車場サーバという）と、代替利用先として指定された駐車場（以下、代替先駐車場という）の駐車場サーバ（以下、代替先駐車場サーバという）と通信を行う管理サーバであって、
前記代替先駐車場サーバから、前記ユーザが前記代替先駐車場を代替利用した際の駐車料金に関する決済情報を受信した場合に、前記決済情報の金額が前記管理サーバと、前記代替元駐車場サーバと、前記代替先駐車場サーバの三者に所定の配分で分配されるように分配金情報を生成し、前記分配金情報を、前記代替元駐車場サーバと前記代替先駐車場サーバに送信する分配金情報送信部
を含む管理サーバ。
【請求項２】
ユーザの駐車場利用に関し、他の駐車場への代替利用を必要とする駐車場（以下、代替元駐車場という）の駐車場サーバ（以下、代替元駐車場サーバという）と、代替利用先として指定された駐車場（以下、代替先駐車場という）の駐車場サーバ（以下、代替先駐車場サーバという）と通信を行う管理サーバであって、
前記代替先駐車場サーバから、前記ユーザが前記代替先駐車場を代替利用した時間の情報である駐車時間情報を受信した場合に、前記駐車時間情報を含む支払要求を前記代替元駐車場サーバに送信する支払要求送信部と、
前記代替元駐車場サーバから、前記ユーザが利用した店舗の店舗端末が指定する駐車料金負担の上限時間と前記駐車時間情報に基づいて定まるサービス時間情報と、前記サービス時間情報に基づいて前記店舗端末が生成した決済情報（以下、店舗決済情報という）を受信した場合に、前記サービス時間情報を前記代替先駐車場サーバに送信するサービス時間情報送信部と、
前記代替先駐車場サーバから、前記駐車時間情報と前記サービス時間情報に基づいて前記代替先駐車場サーバが生成した支払要求に基づき前記ユーザの端末であるユーザ端末が生成した決済情報（以下、ユーザ決済情報という）を受信した場合に、前記店舗決済情報と前記ユーザ決済情報の金額を合計し、当該合計金額が前記管理サーバと、前記代替元駐車場サーバと、前記代替先駐車場サーバの三者に所定の配分で分配されるように分配金情報を生成し、前記分配金情報を、前記代替元駐車場サーバと前記代替先駐車場サーバに送信する分配金情報送信部
を含む管理サーバ。
【請求項３】
請求項１または２に記載の管理サーバであって、
前記代替元駐車場サーバから他の駐車場への代替利用に関する問い合わせを受信した場合に、所定の通知を生成して、前記通知を前記代替先駐車場サーバに送信する通知送信部と、
前記代替先駐車場サーバから所定の支払情報を受信した場合に、所定の回答および前記ユーザに適用される振替割引に関する情報である割引情報を生成し、前記回答と前記割引情報を前記代替元駐車場サーバに送信する回答送信部
を含む管理サーバ。
【請求項４】
請求項１から３の何れかに記載の管理サーバであって、
前記代替元駐車場サーバから駐車場代替利用の予約金の決済に関する情報である予約金決済情報を受信した場合に、前記予約金決済情報の金額が前記管理サーバと、前記代替元駐車場サーバと、前記代替先駐車場サーバの三者に所定の配分で分配されるように予約分配金情報を生成し、前記予約分配金情報を、前記代替元駐車場サーバと前記代替先駐車場サーバに送信する予約分配金情報送信部
を含む管理サーバ。
【請求項５】
ユーザの駐車場利用に関し、他の駐車場への代替利用を必要とする駐車場の駐車場サーバ（以下、代替元駐車場サーバという）と、代替利用先として指定された駐車場（以下、代替先駐車場という）の駐車場サーバ（以下、代替先駐車場サーバという）と、管理サーバを含む駐車場代替利用システムであって、
前記代替先駐車場サーバは、
前記ユーザが前記代替先駐車場を代替利用した際の駐車料金に関する決済情報を前記管理サーバに送信する決済情報送信部を含み、
前記管理サーバは、
前記決済情報を受信した場合に、前記決済情報の金額が前記管理サーバと、前記代替元駐車場サーバと、前記代替先駐車場サーバの三者に所定の配分で分配されるように分配金情報を生成し、前記分配金情報を、前記代替元駐車場サーバと前記代替先駐車場サーバに送信する分配金情報送信部を含む
駐車場代替利用システム。
【請求項６】
ユーザの駐車場利用に関し、他の駐車場への代替利用を必要とする駐車場（以下、代替元駐車場という）の駐車場サーバ（以下、代替元駐車場サーバという）と、代替利用先として指定された駐車場（以下、代替先駐車場という）の駐車場サーバ（以下、代替先駐車場サーバという）と、管理サーバを含む駐車場代替利用システムであって、
前記代替先駐車場サーバは、
前記ユーザが前記代替先駐車場を代替利用した時間の情報である駐車時間情報を送信する駐車時間情報送信部を含み、
前記管理サーバは、
前記駐車時間情報を受信した場合に、前記駐車時間情報を含む支払要求を前記代替元駐車場サーバに送信する支払要求送信部を含み、
前記代替元駐車場サーバは、
前記ユーザが利用した店舗の店舗端末が指定する駐車料金負担の上限時間と前記駐車時間情報に基づいて定まるサービス時間情報と、前記サービス時間情報に基づいて前記店舗端末が生成した決済情報（以下、店舗決済情報という）を送信するサービス時間情報送信部を含み、
前記管理サーバは、
前記サービス時間情報と、前記店舗決済情報を受信した場合に、前記サービス時間情報を前記代替先駐車場サーバに送信するサービス時間情報送信部を含み、
前記代替先駐車場サーバは、
前記駐車時間情報と前記サービス時間情報に基づいて前記代替先駐車場サーバが生成した支払要求に基づき前記ユーザの端末であるユーザ端末が生成した決済情報（以下、ユーザ決済情報という）を送信する決済情報送信部を含み、
前記管理サーバは、
前記ユーザ決済情報を受信した場合に、前記店舗決済情報と前記ユーザ決済情報の金額を合計し、当該合計金額が前記管理サーバと、前記代替元駐車場サーバと、前記代替先駐車場サーバの三者に所定の配分で分配されるように分配金情報を生成し、前記分配金情報を、前記代替元駐車場サーバと前記代替先駐車場サーバに送信する分配金情報送信部を含む
駐車場代替利用システム。
【請求項７】
請求項５または６に記載の駐車場代替利用システムであって、
前記代替元駐車場サーバは、
他の駐車場への代替利用に関する問い合わせを送信する問い合わせ送信部を含み、
前記管理サーバは、
前記問い合わせを受信した場合に、所定の通知を生成して、前記通知を前記代替先駐車場サーバに送信する通知送信部を含み、
前記代替先駐車場サーバは、
前記通知を受信した場合に、所定の支払情報を送信する支払情報送信部を含み、
前記管理サーバは、
前記支払情報を受信した場合に、所定の回答および前記ユーザに適用される振替割引に関する情報である割引情報を生成し、前記回答と前記割引情報を前記代替元駐車場サーバに送信する回答送信部を含む
駐車場代替利用システム。
【請求項８】
請求項５から７の何れかに記載の駐車場代替利用システムであって、
前記代替元駐車場サーバは、
駐車場代替利用の予約金の決済に関する情報である予約金決済情報を送信する予約金決済情報送信部を含み、
前記管理サーバは、
前記予約金決済情報を受信した場合に、前記予約金決済情報の金額が前記管理サーバと、前記代替元駐車場サーバと、前記代替先駐車場サーバの三者に所定の配分で分配されるように予約分配金情報を生成し、前記予約分配金情報を、前記代替元駐車場サーバと前記代替先駐車場サーバに送信する予約分配金情報送信部を含む
駐車場代替利用システム。
【請求項９】
コンピュータを請求項１から４の何れかに記載の管理サーバとして機能させるプログラム。
【発明の詳細な説明】
【技術分野】
【０００１】
本発明は、複数の駐車場間において駐車場の代替利用を可能にする管理サーバ、駐車場代替利用システム、プログラムに関する。
【背景技術】
【０００２】
駐車場予約システムの従来技術として例えば非特許文献１がある。非特許文献１の駐車場予約システムによれば、当該システムの運営元会社が経営する駐車場だけでなく、別途契約済みの月極駐車場や個人宅の駐車場などを予約することができ、スタジアムや空港近く、都心部や住宅街など、様々なロケーションで駐車場を予約することができる。
【先行技術文献】
【非特許文献】
【０００３】
【非特許文献１】タイムズ２４株式会社、“駐車場をWEB予約！B-TIMES”、［online］、［平成30年10月21日検索］、インターネット〈URL：https://btimes.jp/lp/li/movie.html〉
【発明の概要】
【発明が解決しようとする課題】
【０００４】
非特許文献１の駐車場予約システムを用いて、当該システムの運営元会社の競合他社の駐車場を予約先として紹介することは、当該システムの運営元会社にとってメリットがないと考えられる。しかしながら、ユーザの利便性を真に考慮すれば、競合他社の駐車場を予約先として紹介することも選択肢に入れるべきである。従来は、当事者の利益調整を適切に行う駐車場代替利用の技術的仕組みが考えられていなかったため、駐車場運営会社が競合他社の駐車場を予約先として紹介することは難しかった。
【０００５】
そこで本発明では、複数の駐車場間において駐車場を代替利用することができる管理サーバを提供することを目的とする。
【課題を解決するための手段】
【０００６】
本発明の管理サーバは、ユーザの駐車場利用に関し、他の駐車場への代替利用を必要とする駐車場の駐車場サーバ（以下、代替元駐車場サーバという）と、代替利用先として指定された駐車場（以下、代替先駐車場という）の駐車場サーバ（以下、代替先駐車場サーバという）と通信を行う管理サーバであって、分配金情報送信部を含む。
【０００７】
分配金情報送信部は、代替先駐車場サーバから、ユーザが代替先駐車場を代替利用した際の駐車料金に関する決済情報を受信した場合に、決済情報の金額が管理サーバと、代替元駐車場サーバと、代替先駐車場サーバの三者に所定の配分で分配されるように分配金情報を生成し、分配金情報を、代替元駐車場サーバと代替先駐車場サーバに送信する。
【発明の効果】
【０００８】
本発明の管理サーバによれば、複数の駐車場間において駐車場を代替利用することができる。
【図面の簡単な説明】
【０００９】
【図１】実施例１の駐車場代替利用システムの構成を示すブロック図。
【図２】実施例１のユーザ端末の構成を示すブロック図。
【図３】実施例１の駐車場サーバの構成を示すブロック図。
【図４】実施例１の管理サーバの構成を示すブロック図。
【図５】実施例１の代替利用の予約動作を示すブロック図。
【図６】実施例１の代替利用の予約動作を示すシーケンス図。
【図７】実施例１の代替利用の予約金分配動作を示すブロック図。
【図８】実施例１の代替利用の予約金分配動作を示すシーケンス図。
【図９】実施例１の代替利用の店舗を含まない場合の駐車料金分配動作を示すブロック図。
【図１０】実施例１の代替利用の店舗を含まない場合の駐車料金分配動作を示すシーケンス図。
【図１１】実施例１の代替利用の店舗を含む場合の動作１を示すブロック図。
【図１２】実施例１の代替利用の店舗を含む場合の動作１を示すシーケンス図。
【図１３】実施例１の代替利用の店舗を含む場合の動作２を示すブロック図。
【図１４】実施例１の代替利用の店舗を含む場合の動作２を示すシーケンス図。
【図１５】実施例１の代替利用の店舗を含む場合の動作３を示すブロック図。
【図１６】実施例１の代替利用の店舗を含む場合の動作３を示すシーケンス図。
【発明を実施するための形態】
【００１０】
以下、本発明の実施の形態について、詳細に説明する。なお、同じ機能を有する構成部には同じ番号を付し、重複説明を省略する。
【実施例１】
【００１１】
以下、図１を参照して実施例１の駐車場代替利用システムの構成を説明する。同図に示すように、本実施例の駐車場代替利用システム１は、ユーザが所有するユーザ端末１１と、Ｎ台（Ｎは２以上の整数）の駐車場サーバ１２、管理サーバ１３、店舗端末１４を含み、各装置はネットワーク９を介して通信可能に接続されているものとする。Ｎ台の駐車場サーバを代表させる場合には駐車場サーバ１２と呼称し、個々のサーバを呼び分ける時は、第１駐車場サーバ１２−１、…、第ｎ駐車場サーバ１２−ｎ、…、第Ｎ駐車場サーバ１２−Ｎと呼称するものとする。ｎは整数かつ１≦ｎ≦Ｎである。以下、ユーザや各装置について説明する。
【００１２】
≪ユーザ≫
本実施例において、ユーザは、駐車場の利用を予め予約するものとする。ユーザはユーザ端末１１を用いて、第１駐車場サーバ１２−１、…、第ｎ駐車場サーバ１２−ｎ、…、第Ｎ駐車場サーバ１２−Ｎの何れかににアクセスし、予約を実行するものとする。
【００１３】
≪ユーザ端末１１≫
ユーザ端末１１はユーザが所有する通信機能を有する電子機器であり、例えばスマートフォン、フィーチャーフォン、タブレット、ＰＤＡの類である。ユーザ端末１１は、少なくとも第１駐車場サーバ１２−１、…、第ｎ駐車場サーバ１２−ｎ、…、第Ｎ駐車場サーバ１２−Ｎの何れかにアクセス可能であるものとする。
【００１４】
図２を参照して本実施例のユーザ端末１１の構成を説明する。同図に示すようにユーザ端末１１は、予約要求送信部１１１と、受信部１１２と、予約金決済情報送信部１１３と、第１決済要求送信部１１４と、第１決済情報送信部１１６と、第２決済要求送信部１１７と、第２決済情報送信部１１９と、後述する各ステップの実行に必要なデータを記憶する記憶部１１５０を含む。
【００１５】
≪駐車場サーバ１２≫
本実施例において、駐車場サーバ１２は、１つの駐車場につき一台ずつ用意されているものとする。詳細には、第１駐車場サーバ１２−１は第１駐車場を管理するサーバであり、第ｎ駐車場サーバ１２−ｎは第ｎ駐車場を管理するサーバであり、第Ｎ駐車場サーバ１２−Ｎは第Ｎ駐車場を管理するサーバであるものとする。なお、この定義は本実施例において説明を簡便にするための定義にすぎない。例えば、第１駐車場サーバ１２−１をＡ駐車場運営会社が運営する全ての駐車場を管理するサーバとし、第２駐車場サーバ１２−２をＢ駐車場運営会社が運営する全ての駐車場を管理するサーバとし、…駐車場サーバのそれぞれが対応する駐車場運営会社によって運営されている複数の駐車場の全てを管理することとしてもよい。
【００１６】
なお本実施例においてユーザは当初、第１駐車場サーバ１２−１にアクセスし、第１駐車場の予約を行おうとしたが、第１駐車場がユーザの所望する日時に満車である、あるいは改装工事期間中である、…などの理由により、第１駐車場の予約ができなかったものとする。この場合、第１駐車場サーバ１２−１は、ユーザの希望日時に予約処理を行えないため、他の駐車場への代替利用を必要とする駐車場の駐車場サーバに該当する。このような駐車場、駐車場サーバをそれぞれ代替元駐車場、代替元駐車場サーバと呼称する。従って、本実施例においては、第１駐車場＝代替元駐車場であり、第１駐車場サーバ１２−１＝代替元駐車場サーバであるものとする。
【００１７】
本実施例では、ユーザの希望日時に予約処理を行えなかった第１駐車場の代替利用先として第ｎ駐車場が指定されたものとする。代替利用先として指定された駐車場、駐車場サーバをそれぞれ、代替先駐車場、代替先駐車場サーバと呼称する。従って、本実施例においては、第ｎ駐車場＝代替先駐車場であり、第ｎ駐車場サーバ１２−ｎ＝代替先駐車場サーバであるものとする。
【００１８】
図３を参照して本実施例の駐車場サーバ１２の構成を説明する。同図に示すように駐車場サーバ１２は、受信部１２１と、問い合わせ送信部１２２と、支払情報送信部１２４と、回答送信部１２６と、予約金決済情報送信部１２８と、第１支払要求送信部１２１２と、第１決済情報送信部１２１４と、駐車時間情報送信部１２１８と、第２支払要求送信部１２２０と、サービス時間情報送信部１２２２と、第３支払要求送信部１２２４と、第２決済情報送信部１２２６と、後述する各ステップの実行に必要なデータを記憶する記憶部１２５０を含む。
【００１９】
≪管理サーバ１３≫
本実施例において、管理サーバ１３は、複数の駐車場（第１駐車場、…、第ｎ駐車場、…、第Ｎ駐車場）間、または複数の駐車場事業者間において、駐車場の代替利用を統括するサーバであり、代替元駐車場サーバと代替先駐車場サーバと管理サーバ１３の間において、予め決められたルールに則り、駐車場代替利用の予約金や駐車料金の分配を実行するサーバである。
【００２０】
図４を参照して本実施例の管理サーバ１３の構成を説明する。同図に示すように管理サーバ１３は、受信部１３１と、通知送信部１３２と、回答送信部１３４と、予約分配金情報送信部１３６と、第１分配金情報送信部１３８と、支払要求送信部１３１０と、サービス時間情報送信部１３１２と、第２分配金情報送信部１３１４と、後述する各ステップの実行に必要なデータを記憶する記憶部１３５０を含む。
【００２１】
≪店舗端末１４≫
本実施例において、店舗端末１４は、所定の店舗が管理する端末であり、前述のユーザが所定の店舗を利用した度合い（支払金額など）に基づき、ユーザの駐車料金の一部を肩代わりする端末である。本実施例において店舗端末１４は、第１駐車場と提携しており、第１駐車場サーバ１２−１を介して、ユーザの駐車料金の一部を肩代わりする処理を実行するものとする。
【００２２】
店舗端末１４内の構成については図示を省略する。
【００２３】
＜予約動作＞
以下、図５、図６を参照して、本実施例の駐車場代替利用システム１の予約動作について説明する。
【００２４】
まず、ユーザ端末１１の予約要求送信部１１１は、ユーザの操作に基づき、第１駐車場の予約を要求する予約要求を生成し、当該予約要求を第１駐車場サーバ１２−１に送信する（Ｓ１１１）。
【００２５】
第１駐車場サーバ１２−１の受信部１２１は、予約要求を受信する（Ｓ１２１）。前述したように、第１駐車場はユーザの所望する日時に満車あるいは改装工事期間中などの理由により、ユーザの所望する日時の予約は不可能であるものとする。そこで第１駐車場サーバ１２−１の問い合わせ送信部１２２は、他の駐車場への代替利用に関する問い合わせを、管理サーバ１３に送信する（Ｓ１２２）。
【００２６】
管理サーバ１３の受信部１３１は、問い合わせを受信する（Ｓ１３１）。管理サーバ１３の通知送信部１３２は、問い合わせを受信した場合に、所定の通知を生成して、通知を代替先駐車場サーバに該当する第ｎ駐車場サーバ１２−ｎに送信する（Ｓ１３２）。管理サーバ１３は、各駐車場（第１駐車場、…、第ｎ駐車場、…、第Ｎ駐車場）の満空状況について、各駐車場サーバ（第１駐車場サーバ１２−１、…、第ｎ駐車場サーバ１２−ｎ、…、第Ｎ駐車場サーバ１２−Ｎ）から情報を取得しており、代替先駐車場となり得る駐車場のうちから代替先駐車場を指定することができるものとする。代替先駐車場の候補が複数ある場合、管理サーバ１３は、代替元駐車場と距離が最も近い候補を代替先駐車場として指定してもよい。また、所定の通知は、例えば代替元駐車場から駐車場代替利用の依頼が来ていることを説明する情報、依頼を受けるために必要な手数料、分配金の説明などを記載した通知としてもよい。
【００２７】
次に、第ｎ駐車場サーバ１２−ｎの受信部１２１は、通知を受信する（Ｓ１２３）。第ｎ駐車場サーバ１２−ｎの支払情報送信部１２４は、通知を受信した場合に、所定の支払情報ｆｅｅ１を送信する（Ｓ１２４）。所定の支払情報ｆｅｅ１とは、例えば管理サーバ１３に対する接続料、手数料であってもよい。
【００２８】
管理サーバ１３の受信部１３１は、支払情報ｆｅｅ１を受信する（Ｓ１３３）。管理サーバ１３の回答送信部１３４は、支払情報ｆｅｅ１を受信した場合に、所定の回答およびユーザに適用される振替割引に関する情報である割引情報を生成し、回答と割引情報を第１駐車場サーバ１２−１に送信する（Ｓ１３４）。回答は、第ｎ駐車場サーバ１２−ｎが依頼を受諾し、該当の予約は第ｎ駐車場の予約に代替されたことなどを通知する内容であってもよい。また割引情報は、駐車場の代替が発生していることによりユーザに生ずる手間を補償する目的であり、例えば駐車料金の１／１０としてもよいし、一律の金額（例えば１００円）としてもよい。
【００２９】
第１駐車場サーバ１２−１の受信部１２１は、回答と割引情報を受信する（Ｓ１２５）。第１駐車場サーバ１２−１の回答送信部１２６は、回答と割引情報をユーザ端末１１に送信する（Ｓ１２６）。
【００３０】
ユーザ端末１１の受信部１１２は、回答と割引情報を受信する（Ｓ１１２）。
【００３１】
＜予約金分配動作＞
以下、図７、図８を参照して、本実施例の駐車場代替利用システム１の予約金分配動作について説明する。
【００３２】
まず、ユーザ端末１１の予約金決済情報送信部１１３は、駐車場代替利用の予約金の決済に関する情報である予約金決済情報ｂｏｏｋ＿ｆｅｅを第１駐車場サーバ１２−１に送信する（Ｓ１１３）。なお、同図に破線で示すように、ユーザ端末１１の代わりにユーザが利用する店舗の店舗端末１４が予約金の支払いを肩代わりし、予約金決済情報ｂｏｏｋ＿ｆｅｅを第１駐車場サーバ１２−１に送信してもよい。
【００３３】
第１駐車場サーバ１２−１の受信部１２１は、予約金決済情報ｂｏｏｋ＿ｆｅｅを受信する（Ｓ１２７）。第１駐車場サーバ１２−１の予約金決済情報送信部１２８は、予約金決済情報ｂｏｏｋ＿ｆｅｅを、管理サーバ１３に送信する（Ｓ１２８）。
【００３４】
管理サーバ１３の受信部１３１は、予約金決済情報ｂｏｏｋ＿ｆｅｅを受信する（Ｓ１３５）。管理サーバ１３の予約分配金情報送信部１３６は、予約金決済情報ｂｏｏｋ＿ｆｅｅを受信した場合に、予約金決済情報ｂｏｏｋ＿ｆｅｅの金額が管理サーバ１３と、第１駐車場サーバ１２−１と、第ｎ駐車場サーバ１２−ｎの三者に所定の配分で分配されるように予約分配金情報を生成し、予約分配金情報を、第１駐車場サーバ１２−１と第ｎ駐車場サーバ１２−ｎに送信する（Ｓ１３６）。例えば、代替元駐車場に対する分配比率をｐ１、代替先駐車場に対する分配比率をｐ２、管理サーバに対する分配比率をｐ３とする（ただし、ｐ１＋ｐ２＋ｐ３＝１）。この場合、第１駐車場サーバ１２−１への予約分配金は、ｂｏｏｋ＿ｆｅｅ＊ｐ１、第ｎ駐車場サーバ１２−ｎへの予約分配金は、ｂｏｏｋ＿ｆｅｅ＊ｐ２、管理サーバ１３への予約分配金（手数料、接続料）は、ｂｏｏｋ＿ｆｅｅ＊ｐ３となる。
【００３５】
第１駐車場サーバ１２−１の受信部１２１は、予約分配金情報（取り分であるｂｏｏｋ＿ｆｅｅ＊ｐ１を含む情報）を受信する（Ｓ１２９）。同様に、第ｎ駐車場サーバ１２−ｎの受信部１２１は、予約分配金情報（取り分であるｂｏｏｋ＿ｆｅｅ＊ｐ２を含む情報）を受信する（Ｓ１２１０）。
【００３６】
＜店舗を含まない場合の駐車料金分配動作＞
以下、図９、図１０を参照して、本実施例の駐車場代替利用システム１の店舗を含まない場合の駐車料金分配動作について説明する。
【００３７】
まず、ユーザ端末１１の第１決済要求送信部１１４は、決済要求を生成し、第ｎ駐車場サーバ１２−ｎに送信する（Ｓ１１４）。ステップＳ１１４は、ユーザが代替利用した第ｎ駐車場の駐車料金の精算を行おうとしている場面に相当する。
【００３８】
第ｎ駐車場サーバ１２−ｎの受信部１２１は、決済要求を受信する（Ｓ１２１１）。第ｎ駐車場サーバ１２−ｎの第１支払要求送信部１２１２は、決済要求を受信した場合に、駐車場の利用時間と、単位時間当たりの駐車料金に基づいて、請求額を計算し、当該請求額を含む支払要求を生成して、ユーザ端末１１に送信する（Ｓ１２１２）。
【００３９】
ユーザ端末１１の受信部１１２は、支払要求を受信する（Ｓ１１５）。ユーザ端末１１の第１決済情報送信部１１６は、支払要求を受信した場合に、第ｎ駐車場を代替利用した際の駐車料金に関する決済情報Ｃ１を生成し、第ｎ駐車場サーバ１２−ｎに送信する（Ｓ１１６）。
【００４０】
第ｎ駐車場サーバ１２−ｎの受信部１２１は、決済情報Ｃ１を受信する（Ｓ１２１３）。第ｎ駐車場サーバ１２−ｎの第１決済情報送信部１２１４は、決済情報Ｃ１を管理サーバ１３に送信する（Ｓ１２１４）。
【００４１】
管理サーバ１３の受信部１３１は、決済情報Ｃ１を受信する（Ｓ１３７）。管理サーバ１３の第１分配金情報送信部１３８は、決済情報Ｃ１を受信した場合に、決済情報Ｃ１の金額が管理サーバ１３と、第１駐車場サーバ１２−１と、第ｎ駐車場サーバ１２−ｎの三者に所定の配分で分配されるように分配金情報を生成し、分配金情報を、第１駐車場サーバ１２−１と第ｎ駐車場サーバ１２−ｎに送信する（Ｓ１３８）。例えば、代替元駐車場に対する分配比率をｐ１、代替先駐車場に対する分配比率をｐ２、管理サーバに対する分配比率をｐ３とする（ただし、ｐ１＋ｐ２＋ｐ３＝１）。この場合、第１駐車場サーバ１２−１への分配金は、Ｃ１＊ｐ１、第ｎ駐車場サーバ１２−ｎへの分配金は、Ｃ１＊ｐ２、管理サーバ１３への分配金（手数料、接続料）は、Ｃ１＊ｐ３となる。
【００４２】
第ｎ駐車場サーバ１２−ｎの受信部１２１は、分配金情報（取り分であるＣ１＊ｐ２を含む情報）を受信する（Ｓ１２１５）。同様に、第１駐車場サーバ１２−１の受信部１２１は、分配金情報（取り分であるＣ１＊ｐ１を含む情報）を受信する（Ｓ１２１６）。
【００４３】
＜店舗を含む場合の動作１＞
以下、図１１、図１２を参照して、本実施例の駐車場代替利用システム１の店舗を含む場合の動作１について説明する。
【００４４】
まず、ユーザ端末１１の第２決済要求送信部１１７は、決済要求を生成し、第ｎ駐車場サーバ１２−ｎに送信する（Ｓ１１７）。ステップＳ１１７は、ユーザが代替利用した第ｎ駐車場の駐車料金の精算を行おうとしている場面に相当する。
【００４５】
第ｎ駐車場サーバ１２−ｎの受信部１２１は、決済要求を受信する（Ｓ１２１７）。第ｎ駐車場サーバ１２−ｎの駐車時間情報送信部１２１８は、決済要求を受信した場合に、ユーザが第ｎ駐車場を代替利用した時間の情報である駐車時間情報ｚ（ｈｒ）を生成し、管理サーバ１３に送信する（Ｓ１２１８）。
【００４６】
管理サーバ１３の受信部１３１は、駐車時間情報ｚ（ｈｒ）を受信する（Ｓ１３９）。管理サーバ１３の支払要求送信部１３１０は、駐車時間情報ｚ（ｈｒ）を受信した場合に、駐車時間情報ｚ（ｈｒ）を含む支払要求を第１駐車場サーバ１２−１に送信する（Ｓ１３１０）。
【００４７】
第１駐車場サーバ１２−１の受信部１２１は、支払要求（ｚを含む）を受信する（Ｓ１２１９）。第１駐車場サーバ１２−１の第２支払要求送信部１２２０は、支払要求（ｚを含む）を受信した場合に、支払要求（ｚを含む）を店舗端末１４に送信する（Ｓ１２２０）。
【００４８】
店舗端末１４は、支払要求（ｚを含む）を受信する（Ｓ１４１）。
【００４９】
＜店舗を含む場合の動作２＞
以下、図１３、図１４を参照して、本実施例の駐車場代替利用システム１の店舗を含む場合の動作２について説明する。
【００５０】
店舗端末１４は、支払要求（ｚを含む）を受信した場合に、店舗端末１４が指定する駐車料金負担の上限時間ｘと駐車時間情報ｚに基づいて定まるサービス時間情報（ｚ  ｏｒ  ｘ）と、サービス時間情報に基づく決済情報（Ｃ２  ｏｒ  Ｃ３、以下、店舗決済情報と呼称する）を生成し、第１駐車場サーバ１２−１に送信する（Ｓ１４２）。上限時間ｘは、ユーザが該当する店舗を利用した度合い（例えば支払金額など）に基づき決定される。例えばユーザが３０００円以上店舗に支払った場合、上限時間ｘ＝２時間とし、ユーザが５０００円以上店舗に支払った場合、上限時間ｘ＝４時間としてもよい。サービス時間情報は、ｚ≦ｘの場合には、実際の利用時間であるｚ時間とされ、それ以外（ｚ＞ｘ）の場合には、上限時間であるｘ時間とされる。店舗決済情報は、ｚ≦ｘの場合には、ｚ＊ｆｅｅ２＝Ｃ２となる一方、それ以外（ｚ＞ｘ）の場合には、ｘ＊ｆｅｅ２＝Ｃ３となる。なお、ｆｅｅ２は、店舗と第１駐車場の取り決めによる単位時間当たりの駐車料金である。
【００５１】
第１駐車場サーバ１２−１の受信部１２１は、サービス時間情報（ｚ  ｏｒ  ｘ）と、店舗決済情報（Ｃ２  ｏｒ  Ｃ３）を受信する（Ｓ１２２１）。第１駐車場サーバ１２−１のサービス時間情報送信部１２２２は、サービス時間情報（ｚ  ｏｒ  ｘ）と、店舗決済情報（Ｃ２  ｏｒ  Ｃ３）を管理サーバ１３に送信する（Ｓ１２２２）。
【００５２】
管理サーバ１３の受信部１３１は、サービス時間情報（ｚ  ｏｒ  ｘ）と、店舗決済情報（Ｃ２  ｏｒ  Ｃ３）を受信する（Ｓ１３１１）。管理サーバ１３のサービス時間情報送信部１３１２は、サービス時間情報（ｚ  ｏｒ  ｘ）と、店舗決済情報（Ｃ２  ｏｒ  Ｃ３）を受信した場合に、サービス時間情報（ｚ  ｏｒ  ｘ）を第ｎ駐車場サーバ１２−ｎに送信する（Ｓ１３１２）。
【００５３】
第ｎ駐車場サーバ１２−ｎの受信部１２１は、サービス時間情報（ｚ  ｏｒ  ｘ）を受信する（Ｓ１２２３）。第ｎ駐車場サーバ１２−ｎの第３支払要求送信部１２２４は、駐車時間情報ｚとサービス時間情報（ｚ  ｏｒ  ｘ）に基づいて支払要求を生成して、ユーザ端末１１に送信する（Ｓ１２２４）。支払要求額は、駐車時間情報ｚとサービス時間情報（ｚ  ｏｒ  ｘ）の差分をｙ（ｈｒ）とし、ｙ（ｈｒ）＊ｆｅｅ３＝Ｃ４とされる。駐車時間情報とサービス時間情報が等しい場合には、ｙ（ｈｒ）＝０であるため、Ｃ４＝０である。
【００５４】
ユーザ端末１１の受信部１１２は、支払要求を受信する（Ｓ１１８）。ユーザ端末１１の第２決済情報送信部１１９は、支払要求に基づき決済情報（Ｃ４、以下、ユーザ決済情報と呼称する）を生成し、第ｎ駐車場サーバ１２−ｎに送信する（Ｓ１１９）。
【００５５】
第ｎ駐車場サーバ１２−ｎの受信部１２１は、ユーザ決済情報（Ｃ４）を受信する（Ｓ１２２５）。第ｎ駐車場サーバ１２−ｎの第２決済情報送信部１２２６は、ユーザ決済情報（Ｃ４）を管理サーバ１３に送信する（Ｓ１２２６）。
【００５６】
管理サーバ１３の受信部１３１は、ユーザ決済情報（Ｃ４）を受信する（Ｓ１３１３）。
【００５７】
＜店舗を含む場合の動作３＞
以下、図１５、図１６を参照して、本実施例の駐車場代替利用システム１の店舗を含む場合の動作３について説明する。
【００５８】
管理サーバ１３の第２分配金情報送信部１３１４は、ユーザ決済情報（Ｃ４）を受信した場合に、店舗決済情報（Ｃ２  ｏｒ  Ｃ３）とユーザ決済情報（Ｃ４）の金額を合計し、合計金額が管理サーバ１３と、代替元駐車場サーバである第１駐車場サーバ１２−１と、代替先駐車場サーバである第ｎ駐車場サーバ１２−ｎの三者に所定の配分で分配されるように分配金情報を生成し、分配金情報を、第１駐車場サーバ１２−１と第ｎ駐車場サーバ１２−ｎに送信する（Ｓ１３１４）。例えば、代替元駐車場に対する分配比率をｐ１、代替先駐車場に対する分配比率をｐ２、管理サーバに対する分配比率をｐ３とする（ただし、ｐ１＋ｐ２＋ｐ３＝１）。この場合、第１駐車場サーバ１２−１への分配金は、（Ｃ２＋Ｃ４）＊ｐ１または（Ｃ３＋Ｃ４）＊ｐ１、第ｎ駐車場サーバ１２−ｎへの分配金は、（Ｃ２＋Ｃ４）＊ｐ２または（Ｃ３＋Ｃ４）＊ｐ２、管理サーバ１３への分配金（手数料、接続料）は、（Ｃ２＋Ｃ４）＊ｐ３または（Ｃ３＋Ｃ４）＊ｐ３となる。
【００５９】
第ｎ駐車場サーバ１２−ｎの受信部１２１は、分配金情報（（Ｃ２＋Ｃ４）＊ｐ２または（Ｃ３＋Ｃ４）＊ｐ２）を受信する（Ｓ１２２７）。
【００６０】
第１駐車場サーバ１２−１の受信部１２１は、分配金情報（（Ｃ２＋Ｃ４）＊ｐ１または（Ｃ３＋Ｃ４）＊ｐ１）を受信する（Ｓ１２２８）。
【００６１】
このように、本実施例の管理サーバ１３、駐車場代替利用システム１によれば、駐車予約を受け付けできない代替元駐車場と駐車予約を受け付け可能な代替先駐車場の間におけるスムーズな代替利用が可能となる。また、本実施例の管理サーバ１３、駐車場代替利用システム１によれば、代替利用の予約金や駐車料金を予め定めたレートで三者に分配することができるため、各駐車場は、満車や空車による顧客獲得機会の損失を防止することができ、安定した駐車場運営を実現できる。また、本実施例の管理サーバ１３、駐車場代替利用システム１によれば、店舗端末１４は通常通りのサービスを行うだけで、上記の適切な分配を行うことができるため、店舗側にシステム導入のコストや手間がかからない。
【００６２】
＜補記＞
本発明の装置は、例えば単一のハードウェアエンティティとして、キーボードなどが接続可能な入力部、液晶ディスプレイなどが接続可能な出力部、ハードウェアエンティティの外部に通信可能な通信装置（例えば通信ケーブル）が接続可能な通信部、ＣＰＵ（Central Processing Unit、キャッシュメモリやレジスタなどを備えていてもよい）、メモリであるＲＡＭやＲＯＭ、ハードディスクである外部記憶装置並びにこれらの入力部、出力部、通信部、ＣＰＵ、ＲＡＭ、ＲＯＭ、外部記憶装置の間のデータのやり取りが可能なように接続するバスを有している。また必要に応じて、ハードウェアエンティティに、ＣＤ−ＲＯＭなどの記録媒体を読み書きできる装置（ドライブ）などを設けることとしてもよい。このようなハードウェア資源を備えた物理的実体としては、汎用コンピュータなどがある。
【００６３】
ハードウェアエンティティの外部記憶装置には、上述の機能を実現するために必要となるプログラムおよびこのプログラムの処理において必要となるデータなどが記憶されている（外部記憶装置に限らず、例えばプログラムを読み出し専用記憶装置であるＲＯＭに記憶させておくこととしてもよい）。また、これらのプログラムの処理によって得られるデータなどは、ＲＡＭや外部記憶装置などに適宜に記憶される。
【００６４】
ハードウェアエンティティでは、外部記憶装置（あるいはＲＯＭなど）に記憶された各プログラムとこの各プログラムの処理に必要なデータが必要に応じてメモリに読み込まれて、適宜にＣＰＵで解釈実行・処理される。その結果、ＣＰＵが所定の機能（上記、…部、…手段などと表した各構成要件）を実現する。
【００６５】
本発明は上述の実施形態に限定されるものではなく、本発明の趣旨を逸脱しない範囲で適宜変更が可能である。また、上記実施形態において説明した処理は、記載の順に従って時系列に実行されるのみならず、処理を実行する装置の処理能力あるいは必要に応じて並列的にあるいは個別に実行されるとしてもよい。
【００６６】
既述のように、上記実施形態において説明したハードウェアエンティティ（本発明の装置）における処理機能をコンピュータによって実現する場合、ハードウェアエンティティが有すべき機能の処理内容はプログラムによって記述される。そして、このプログラムをコンピュータで実行することにより、上記ハードウェアエンティティにおける処理機能がコンピュータ上で実現される。
【００６７】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。具体的には、例えば、磁気記録装置として、ハードディスク装置、フレキシブルディスク、磁気テープ等を、光ディスクとして、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等を、光磁気記録媒体として、ＭＯ（Magneto-Optical disc）等を、半導体メモリとしてＥＥＰ−ＲＯＭ（Electronically Erasable and Programmable-Read Only Memory）等を用いることができる。
【００６８】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００６９】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００７０】
また、この形態では、コンピュータ上で所定のプログラムを実行させることにより、ハードウェアエンティティを構成することとしたが、これらの処理内容の少なくとも一部をハードウェア的に実現することとしてもよい。
【図１】
2020080102.tif 000003
【図２】
2020080102.tif 000004
【図３】
2020080102.tif 000005
【図４】
2020080102.tif 000006
【図５】
2020080102.tif 000007
【図６】
2020080102.tif 000008
【図７】
2020080102.tif 000009
【図８】
2020080102.tif 000010
【図９】
2020080102.tif 000011
【図１０】
2020080102.tif 000012
【図１１】
2020080102.tif 000013
【図１２】
2020080102.tif 000014
【図１３】
2020080102.tif 000015
【図１４】
2020080102.tif 000016
【図１５】
2020080102.tif 000017
【図１６】
2020080102.tif 000018